【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
クエリに基づいてユーザにドキュメント中の情報をレンダリングする方法であって、
前記クエリから第１のオブジェクトおよび第２のオブジェクトを識別すること、
前記ドキュメントにアクセスして、前記ドキュメント中のテキストに関連した意味タグを識別すること、
前記第１のオブジェクトを、前記ドキュメント内の記憶されたテキストの第１の部分に対応する第１の意味タグに関連付け、前記第２のオブジェクトを、レンダリングされる、前記ドキュメントにおける記憶されたテキストの第２の部分に対応するタグに関連付けることであって、前記テキストの第２の部分は前記第１の部分の一部であること、および
前記記憶されたテキストの第２の部分を選択的に聞こえるようにレンダリングすること
を含むことを特徴とする方法。
【請求項２】
前記第１のオブジェクトおよび前記第２のオブジェクトの少なくとも１つは、前記記憶されたテキストに対応するタグに関連する情報を含むクエリオブジェクトであることを特徴とする請求項１に記載の方法。
【請求項３】
前記第１のオブジェクトおよび前記第２のオブジェクトの少なくとも１つは、前記記憶されたテキスト中をナビゲートするための情報を含むナビゲーションオブジェクトであることを特徴とする請求項１に記載の方法。
【請求項４】
前記第１のオブジェクトおよび前記第２のオブジェクトの少なくとも１つは、前記記憶されたテキストに選択されたコマンドを実行するための情報を含むコマンドオブジェクトであることを特徴とする請求項１に記載の方法。
【請求項５】
前記識別することは、言語モデルを使用して前記第１のオブジェクトおよび前記第２のオブジェクトを識別することを含むことを特徴とする請求項１乃至４のいずれかに記載の方法。
【請求項６】
前記識別することはさらに、スタイルコントロールを使用して、前記第１のオブジェクトおよび前記第２のオブジェクトについての代替フレーズを認識することを含むことを特徴とする請求項５に記載の方法。
【請求項７】
前記記憶されたテキストは、多次元的な構造に構成され、前記第１のオブジェクトおよび前記第２のオブジェクトの少なくとも１つは、前記多次元的構造の少なくとも１つの次元に対応することを特徴とする請求項１乃至６のいずれかに記載の方法。
【請求項８】
前記多次元的構造は、複数の行および複数の列を含むテーブルであり、前記第１のオブジェクトは、特定の行に関連する情報を含み、前記第２のオブジェクトは、特定の列に関連する情報を含むことを特徴とする請求項７に記載の方法。
【請求項９】
前記記憶されたテキストの一部を選択的にレンダリングすることは、前記一部をレンダリングするスクリプトを実行することを含むことを特徴とする請求項１乃至８のいずれかに記載の方法。
【請求項１０】
前記記憶されたテキストの一部を選択的にレンダリングすることは、前記第１のオブジェクトおよび前記第２のオブジェクトに基づいて、記憶されたコンテクストと組み合わせて前記記憶されたテキストの一部をレンダリングすることを含むことを特徴とする請求項１乃至９のいずれかに記載の方法。
【請求項１１】
音声クエリに基づいてユーザに情報をレンダリングする方法であって、
テキストのセグメントをユーザに聞こえるようにレンダリングすることであって、前記セグメントは、前記セグメントの一部に対応する意味タグを含むこと、
前記セグメントが聞こえるようにレンダリングされた後に、前記クエリから少なくとも１つのオブジェクトを識別すること、
前記少なくとも１つのオブジェクトを、前記セグメントのテキストの一部に対応する意味タグに関連付けること、および
前記意味タグに対応する前記セグメントのテキストの一部を聞こえるようにレンダリングすること
を含むことを特徴とする方法。
【請求項１２】
前記セグメントを分析して、前記セグメント中の関連情報のタグを識別することをさらに含むことを特徴とする請求項１１に記載の方法。
【請求項１３】
前記テキストのセグメントは文であり、前記タグは、前記文中のデータに対応することを特徴とする請求項１１または１２に記載の方法。
【請求項１４】
前記テキストのセグメントは行であり、前記タグは前記行内の列に対応することを特徴とする請求項１１乃至１３のいずれかに記載の方法。
【請求項１５】
前記一部を選択的にレンダリングすることは、スクリプトを実行することを含むことを特徴とする請求項１１乃至１４のいずれかに記載の方法。
【請求項１６】
ユーザに情報を提供する方法であって、
音声メールのメッセージのテキストを処理して、前記テキスト中の情報の一部に対する名前及び数に対応する意味識別子を提供すること、
ユーザ入力中のオブジェクトを識別するステップであって、前記オブジェクトは、情報の前記識別子の１つに関連すること、および
前記オブジェクトおよび前記識別子の１つに基づいて、前記名前および数のうちの１つをレンダリングすること
を含むことを特徴とする方法。
【請求項１７】
ユーザに情報を提供する方法であって、
ユーザ入力から、第１のオブジェクト、第２のオブジェクト、およびコマンドオブジェクトを識別すること、
前記第１のオブジェクトおよび前記第２のオブジェクトを、記憶された情報の第１の部分と記憶された情報の第２の部分とに対応するタグに関連付けること、
前記コマンドオブジェクトに基づいて組み合わせられた出力を形成するように、前記第１の部分および前記第２の部分を用いて演算を行って、組み合わせられた出力を形成すること、および
前記組み合わせられた出力を聞こえるようにレンダリングすること
を含むことを特徴とする方法。
【請求項１８】
コンピューティングデバイス可読の命令を含むコンピュータ可読媒体であって、前記命令は、実施されると、前記コンピューティングデバイスに、
言語モデルを確立して、ユーザ入力から第１のオブジェクトおよび第２のオブジェクトを識別するステップと、
意味タグを処理して、前記第１のオブジェクトおよび前記第２のオブジェクトを、前記言語モデルに関して前記意味タグに関連付けられたテキストの一部に関連付けるステップと、
前記記憶された情報の一部を選択的にレンダリングするステップと
を実行することにより情報を処理させることを特徴とするコンピュータ可読媒体。
【請求項１９】
前記ステップは、マークアップ言語として実施されることを特徴とする請求項１８に記載のコンピュータ可読媒体。
【請求項２０】
前記タグおよび前記記憶された情報を含むデータ構造をさらに含むことを特徴とする請求項１８または１９に記載のコンピュータ可読媒体。
【請求項２１】
コンピューティングデバイス可読の命令を含むコンピュータ可読媒体であって、前記命令は、実施されると、前記コンピューティングデバイスに、
テキストを処理して、前記テキスト中の情報の一部の意味に対応する意味識別子を提供するステップと、
言語モデルを確立して、前記意味識別子に関して、前記一部に対応するオブジェクトを識別するステップと、
前記意味識別子を処理して、前記オブジェクトを前記一部に関連付けるステップと、
前記情報の一部を選択的にレンダリングするステップと
を実行することにより情報を処理させることを特徴とするコンピュータ可読媒体。
【請求項２２】
前記ステップはマークアップ言語として実施されることを特徴とする請求項２１に記載のコンピュータ可読媒体。
【請求項２３】
前記タグおよび前記記憶された情報を含むデータ構造をさらに含むことを特徴とする請求項２１または２２に記載のコンピュータ可読媒体。
【請求項２４】
請求項１乃至１７のいずれかに記載の方法を実行することを特徴とするコンピュータ可読媒体。